(57)【要約】【課題】脱臭成分を靴内部に効果的に拡散できる靴脱臭機を提供する。【解決手段】本体上部１２の内部と連通し２足の靴１００の内部に挿入可能に左右に分割して設けた本体足部１９と、本体足部１９に着脱自在に設けた靴挿入部１１と、本体上部１２の内部に設けた脱臭装置１５と電動ファン３０と、本体上部１２に設けた第１通気部１８と、本体足部１９に設けた第２通気部２０と、靴挿入部１１に設けた第３通気部２１と、を備え、脱臭装置１５と電動ファン３０が駆動することにより、第１通気部１８から外部の空気が本体上部１２内部に吸引され、吸引された空気が脱臭装置１５を通過することで脱臭成分を含む空気の流れが発生し、脱臭成分を含む空気は、第２通気部２０と第３通気部２１を通過することで斜め下方に整流され、靴内部の前後方向まで行き渡るように構成したことで、靴１００内部の臭いを脱臭することができる。【選択図】図１
2020014560.tif 000002
【特許請求の範囲】
【請求項１】
本体上部と、
前記本体上部の内部と連通し２足の靴内部に挿入できるように所定の間隔を空けて左右に分割して形成された本体足部と、
前記本体足部に対し全周を覆い着脱自在に設けられた靴挿入部と、
前記本体上部の下方に構成され靴の履き口上部と沿うように構成された本体底面部と、
前記本体上部の内部に設けられ通電により脱臭成分を生成する脱臭装置と、
前記本体上部の内部に設けられ通電により駆動する電動ファンと、
前記本体上部の上方に設けられた第１通気部と、
前記本体足部に設けられた第２通気部と、
前記靴挿入部に設けられた第３通気部と、を備え、
前記本体足部は、底面部ａとこの底面部ａから上方に傾斜する傾斜面ａを有して構成され、
前記本体足部の底面部ａの中央と傾斜面ａには、貫通した開口部である前記第２通気部が設けられ、前記傾斜面ａに設けられた第２通気部は、靴の前後方向と同方向の本体前後方向に整列した複数のスリット状の開口部ａとして形成されており、
また、前記靴挿入部は、底面部ｂとこの底面部ｂから上方に傾斜する傾斜面ｂを有して構成され、前記靴挿入部の底面部ｂの中央と傾斜面ｂには、貫通した開口部である前記第３通気部が設けられ、前記傾斜面ｂに設けられた第３通気部は、靴の前後方向と同方向の本体前後方向に整列した複数のスリット状の開口部ｂとして形成されており、
前記第２通気部のスリット状の開口部ａと前記第３通気部のスリット状の開口部ｂとは、互いが間隔を空けて重なるように配置され、
前記脱臭装置と前記電動ファンが駆動することにより、前記本体上部に設けた第１通気部から外部の空気が前記本体上部内部に吸引され、吸引された空気が前記脱臭装置を通過することで脱臭成分を含む空気の流れが発生し、脱臭成分を含む空気は、第２通気部と第３通気部を通過することで整流され靴内部の前後方向まで行き渡るように構成した靴脱臭機。
【請求項２】
前記靴挿入部は円錐台形状で構成されており、前記本体底面部側から下方方向に向かって外径が小さくなるように構成された請求項１に記載の靴脱臭機。
【請求項３】
靴の前後方向と同方向の前記本体底面部の前後方向の断面形状は下方に凸となる円弧形状で構成された請求項１または２に記載の靴脱臭機。
【請求項４】
前記靴挿入部の底面部ｂの形状は、靴の前後方向と同方向である前後方向側の外径が長い楕円形状に形成した請求項１〜３のいずれか１項に記載の靴脱臭機。
【請求項５】
前記靴挿入部の底面部ｂの外周部において、互いに対向する突出リブ部を靴の前後方向と、靴の前後方向と交差する方向に各々設け、互いに対向する突出リブ部間の距離が、靴の前後方向側の方が、靴の前後方向と交差する方向に比べ長くなるように形成した請求項１〜４のいずれか１項に記載の靴脱臭機。
【請求項６】
靴挿入部および本体底面部を格納可能にする収納ケースをさらに備え、前記収納ケースの側面に第４通気部を備えた請求項１〜５のいずれか１項に記載の靴脱臭機。
【請求項７】
前記収納ケース内部に外部電源を格納可能な空間を備えた請求項６に記載の靴脱臭機。
【発明の詳細な説明】
【技術分野】
【０００１】
本発明は、靴を脱臭する機能を備えた靴脱臭機に関するものである。
【背景技術】
【０００２】
従来、この種の靴の乾燥機器には、送風装置に接続される二股部と、二股部に接続される下方に向いた一対のホース部と、ホース部に設けた吹出手段とを備え、吹出手段をホース部の下方に設けた下方孔部と側方に設けた側方孔部により形成し、ホース部を伸縮自在なジャバラ部で構成した乾燥機器が主として知られている（例えば、特許文献１参照）。
【０００３】
図１６は、特許文献１に記載された従来の靴の乾燥機器を示すものである。図１６に示すように、二股部２０１と、ホース部２０２と、吹き出し部２０３、入り口ホース部２０４から構成されている。前記構成で靴の内部に吹き出し部２０３を取り付ける際に、屈曲や伸張可能なジャバラ形状のホース部２０２を有している。
【先行技術文献】
【特許文献】
【０００４】
【特許文献１】特開２００７−５００６１号公報
【発明の概要】
【発明が解決しようとする課題】
【０００５】
しかしながら、前記従来の構成では、本体と吹き出し部をホース部により接続しており、ホース部の形状を機器の使用者が自ら調整し、靴内へ吹き出し部を挿入する必要があり、手間がかかることに加え、吹き出し部が固定されていないため、吹き出し部の位置がずれた際に、脱臭成分を含む風を靴内に効果的に送風できない可能性があるという課題を有していた。
【０００６】
本発明は、前記従来の課題を解決するもので、靴挿入部を靴にセットした際に、靴挿入部の側面が靴内部の側面と接触する、または、靴挿入部の底面が靴内部の底面と接触して本体を安定させ、靴挿入部の側面または底面に設けたスリットから靴内部の足先まで効果的に脱臭成分の拡散を実現することができる脱臭成分発生デバイス付き靴脱臭機を提供することを目的とする。
【課題を解決するための手段】
【０００７】
本発明に関する靴脱臭機は、前記従来の課題を解決するもので、靴にセットした際に、靴内部の側面や底面、または靴の履き口上部と接触して本体を安定させるよう構成された靴挿入部と本体底面部とを備え、空気から脱臭成分を生成できるように靴脱臭機に設けられた脱臭装置とを備え、靴脱臭機外部および内部の一方から他方に空気が通過できるように構成された通気流路をさらに含み、通気流路は本体上部に設けられた第１通気部、および、脱臭成分を含む空気の流れを整流するために本体足部に設けられた第２通気部、および、脱臭成分を含む空気が靴脱臭機の外部に流れるように靴挿入部に設けた第３通気部を含み、靴脱臭機を靴にセットして運転した際、靴内部の足先側まで脱臭成分を含む空気を効率よく送りこむことができるものである。
【発明の効果】
【０００８】
本発明に関する靴脱臭機は、靴内部の足先まで脱臭成分を効果的に拡散できるものである。
【図面の簡単な説明】
【０００９】
【図１】本発明の実施の形態１における靴脱臭機を靴に挿入した状態の斜視図
【図２】同、靴脱臭機を靴に挿入した状態の正面図
【図３】同、靴脱臭機の図２におけるＡ−Ａ断面図
【図４】同、靴脱臭機の図３におけるＢ部の拡大図
【図５】同、靴脱臭機の斜視図
【図６】同、靴脱臭機の正面図
【図７】同、靴脱臭機の側面図
【図８】同、靴脱臭機の図６におけるＣ−Ｃ断面図
【図９】同、靴脱臭機の図７におけるＤ−Ｄ断面図
【図１０】同、靴脱臭機の背面図
【図１１】同、靴脱臭機の底面図
【図１２】同、靴脱臭機の靴挿入部を外した状態の正面図
【図１３】本発明の実施の形態２における靴脱臭機の斜視図
【図１４】同、靴脱臭機の側面図
【図１５】同、靴脱臭機の図１４におけるＥ−Ｅ断面図
【図１６】従来の靴乾燥装置の要部断面図
【発明を実施するための形態】
【００１０】
第１の発明は、本体上部と、
前記本体上部の内部と連通し２足の靴内部に挿入できるように所定の間隔を空けて左右に分割して形成された本体足部と、
前記本体足部に対し全周を覆い着脱自在に設けられた靴挿入部と、
前記本体上部の下方に構成され靴の履き口上部と沿うように構成された本体底面部と、
前記本体上部の内部に設けられ通電により脱臭成分を生成する脱臭装置と、
前記本体上部の内部に設けられ通電により駆動する電動ファンと、
前記本体上部の上方に設けられた第１通気部と、
前記本体足部に設けられた第２通気部と、
前記靴挿入部に設けられた第３通気部と、を備え、
前記本体足部は、底面部ａとこの底面部ａから上方に傾斜する傾斜面ａを有して構成され、前記本体足部の底面部ａの中央と傾斜面ａには、貫通した開口部である前記第２通気部が設けられ、前記傾斜面ａに設けられた第２通気部は、靴の前後方向と同方向の本体前後方向に整列した複数のスリット状の開口部ａとして形成されており、
また、前記靴挿入部は、底面部ｂとこの底面部ｂから上方に傾斜する傾斜面ｂを有して構成され、前記靴挿入部の底面部ｂの中央と傾斜面ｂには、貫通した開口部である前記第３通気部が設けられ、前記傾斜面ｂに設けられた第３通気部は、靴の前後方向と同方向の本体前後方向に整列した複数のスリット状の開口部ｂとして形成されており、
前記第２通気部のスリット状の開口部ａと前記第３通気部のスリット状の開口部ｂとは、互いが間隔を空けて重なるように配置され、
前記脱臭装置と前記電動ファンが駆動することにより、前記本体上部に設けた第１通気部から外部の空気が前記本体上部内部に吸引され、吸引された空気が前記脱臭装置を通過することで脱臭成分を含む空気の流れが発生し、脱臭成分を含む空気は、第２通気部と第３通気部を通過することで整流され靴内部の前後方向まで行き渡るように構成した靴脱臭機としたことにより、第１通気部が靴に覆われ難い本体上部の上方に設けられているため、靴に靴脱臭機をセットした場合に、脱臭機に供給される空気の量が減少する状況が生じにくい。このため、脱臭成分が効果的に生成される。第１通気部は整列した複数の孔部を含み、第１通気部における空気の流路面積を広く取ることができ、第１通気部を通過する空気の流量が多くなる。
【００１１】
また、靴脱臭機の外部の空気を第１通気部から靴脱臭機内部に吸引できるように本体上
部に設けられた電動ファンを備えるため、脱臭成分が広い範囲に拡散し、靴脱臭機の脱臭機能が高められる。
【００１２】
また、電動ファンの吸込口は本体上部内に設けられる。このため、靴脱臭機の内部における第１通気部から電動ファンの吸引口までの空気の流路が短くなり、電動ファンが効率的に空気を吸引できる。
【００１３】
また、電動ファンの吐出口は本体上部内の周囲を壁で覆われた空間に設けられる。このため、脱臭装置により生成された脱臭成分を含む空気の流れが電動ファンに吸引される空気の流れと干渉し難い。
【００１４】
また、脱臭装置は靴脱臭機の内部における電動ファンの吐出側に設けられる。このため、脱臭装置により生成された脱臭成分がファンに付着し難いため、脱臭成分の減少を防ぐことができる。
【００１５】
また、第２通気部は、本体足部の側面と底面の間の斜面形状に設けられており、斜面形状の本体前後方向に整列した複数のスリットおよび本体足部底面に設けられた開口部から構成される。このため、脱臭成分を含む空気は第２通気部を通過する際、斜め下方方向である斜面に対して鉛直方向に放出される。
【００１６】
また、第３通気部は、靴挿入部の側面の本体前後方向に設けられた整列した複数のスリット、および、底面に設けられた開口部から構成されており、第２通気部から送り出された脱臭成分を含む空気は、第３通気部を通過し、第３通気部に設けられた斜面に対して鉛直方向である斜め下方方向に放出される。このため、靴脱臭機を靴にセットして運転した際、靴内部底面の爪先側に脱臭成分を含む空気を効率よく送りこむことができ、靴内部の臭いを脱臭することができる。
【００１７】
また、靴挿入部が本体足部から着脱自在に取り外すことができるため、水洗いなどで洗浄し、清潔に保つことができる。このため、本体足部を取り外し洗浄することで、靴の臭いが靴挿入部に映ることを防ぎ、脱臭効果を維持できる。
【００１８】
第２の発明は、特に、第１の発明の靴挿入部は円錐台形状で構成されており、前記本体底面部側から下方方向に向かって外径が小さくなるように構成されたもので、このため、サイズの小さい靴に靴挿入部を挿入する場合、先端の外径が小さいため、挿入し易い。また、靴挿入部側面は外側に膨らんだ形状で構成されている。このため、靴挿入部側面と靴の内側の裏地とが接触し、靴脱臭機を靴にセットした際に安定して直立できるものである。
【００１９】
第３の発明は、特に、第１または第２の発明において、靴の前後方向と同方向の前記本体底面部の前後方向の断面形状は下方に凸となる円弧形状で構成したもので、このため、ハイカットなどの履き口高さの高い靴に靴脱臭機をセットする場合でも、靴の履き口上部と本体底面部が少なくとも２点以上で接地し、靴脱臭機が安定して直立できるものである。
【００２０】
第４の発明は、特に、第１〜３のいずれか一つの発明において、靴挿入部の底面部ｂの形状は、靴の前後方向と同方向である前後方向側の外径が長い楕円形状に形成したもので、このため、靴脱臭機を靴にセットした際に、靴脱臭機が前後方向に倒れにくくなり、安定して直立できるものである。
【００２１】
第５の発明は、特に、第１〜４のいずれか一つの発明において、靴挿入部の底面部ｂの
外周部において、互いに対向する突出リブ部を靴の前後方向と、靴の前後方向と交差する方向に各々設け、互いに対向する突出リブ部間の距離が、靴の前後方向側の方が、靴の前後方向と交差する方向に比べ長くなるように形成したもので、このため、靴脱臭機を靴にセットした際に、靴脱臭機が前後方向に倒れにくくなり、安定して直立できるものである。
【００２２】
第６の発明は、特に、第１〜５のいずれか一つの発明において、靴挿入部および本体底面部を格納可能にする収納ケースをさらに備え、前記収納ケースの側面に第４通気部を備えたものであって、収納ケースの内外を第４通気部を通って空気が循環することで、靴脱臭機を収納した状態でも、収納ケース内部の靴挿入部などを清潔に保つことができる。
【００２３】
第７の発明は、特に、第６の発明の収納ケース内部に外部電源を格納可能な空間を備えたものであって、収納ケースは内側中央に一定の空間を備え、この空間スペースには外部電源を収納することができ、収納時の省スペース化を図ることができるものである。
【００２４】
以下、本発明の実施の形態について、図面を参照しながら説明する。なお、この実施の形態によって本発明が限定されるものではない。
【００２５】
（実施の形態１）
図１は、本発明の実施の形態１における靴脱臭機を靴に挿入した状態の斜視図、図２は、同、靴脱臭機を靴に挿入した状態の正面図、図３は、同、靴脱臭機の図２におけるＡ−Ａ断面図、図４は、同、靴脱臭機の図３におけるＢ部の拡大図、図５は、同、靴脱臭機の斜視図、図６は、同、靴脱臭機の正面図、図７は、同、靴脱臭機の側面図、図８は、同、靴脱臭機の図６におけるＣ−Ｃ断面図、図９は、同、靴脱臭機の図７におけるＤ−Ｄ断面図、図１０は、同、靴脱臭機の背面図、図１１は、同、靴脱臭機の底面図、図１２は、同、靴脱臭機の靴挿入部を外した状態の正面図である。
【００２６】
靴脱臭機１０は、本体上部１２と、本体上部１２の内部と連通し左右方向に分かれた本体足部１９を備える。本体足部１９は２足の靴の靴内部に挿入できるように、所定の間隔を空けて設けられている。
【００２７】
本体足部１９の外周部には、靴挿入部１１が、本体足部１９と間隔をおいて全周を覆うように着脱自在に保持できるように取り付けられている。
【００２８】
靴挿入部１１は革靴などの靴１００の内部に挿入されるため、洗浄するために適した材料で構成される。第１例は、樹脂である。第２例は金属である。図１の靴挿入部はポリプロピレンにより形成されている。
【００２９】
本体上部１２の下方の底面には、靴の履き口上部と沿うように構成された本体底面部２４が設けられ、本体底面部２４の前後方向断面形状は下方に凸となる円弧形状で構成される。このため、ハイカットなどの履き口高さの高い靴に靴脱臭機をセットする場合でも、靴の履き口上部と本体底面部が少なくとも２点以上で接地し、靴脱臭機が安定して直立できるものである。
【００３０】
本体上部１２の側面には端子接続部１３ａが設けられる。端子接続部１３ａには、外部電源２９とつながった電源ケーブル１４の端子部１３ｂが接続可能であり、本体上部１２の内部に設けられている電子機器に電力を供給する。
【００３１】
電子機器は、本体上部１２内部に設けられた、脱臭成分を生成する脱臭装置１５（図８参照）および電動ファン３０ならびに、表示部１６（図２、図５参照）である。
【００３２】
本体上部１２には表示部１６および操作部２５が備えられている。表示部１６は、例えば、発行ダイオードである。操作部２５は靴脱臭機１０に対する動作指示を入力できる。操作部２５が押下された場合、電動ファン３０の駆動と靴脱臭機１０に脱臭動作を開始させるための信号を生成する。
【００３３】
操作部２５が再度押下された場合、電動ファン３０の駆動と靴脱臭機１０に脱臭動作を停止させるための信号を生成する。表示部１６および操作部２５は靴脱臭機１０を靴１００にセットした状態で、靴１００に覆われないように本体上部１２の上方に設けられている。このため、表示部１６の視認性および操作部２５の操作性が向上する。
【００３４】
本体上部１２には第１通気部１８が、本体足部１９には、第２通気部２０が、靴挿入部１１には、第３通気部２１が設けられている。
【００３５】
第１通気部１８は、空気を本体上部１２内の通気流路２７に取り込むことができる。第１通気部１８は孔、スリット、メッシュなどである。図１０に示される例では、第１通気部１８は整列した複数の孔である。
【００３６】
このため、第１通気部１８における流路面積を大きくとることができ、第１通気部１８を通過する空気の流量が多くなる。
【００３７】
また、第１通気部１８が靴に覆われ難い本体上部１２に設けられているため、靴に靴脱臭機１０をセットした場合に、靴脱臭機１０に供給される空気の量が減少する状況が生じにくい。このため、脱臭成分が効果的に生成される。
【００３８】
靴脱臭機１０の外部の空気を第１通気部１８から靴脱臭機１０内部に吸引できるように本体上部１２の内部には電動ファン３０が備えられている。このため、脱臭成分が広い範囲に拡散し、靴脱臭機１０の脱臭機能が高められる。
【００３９】
電動ファン３０の吸引口３７は本体上部１２内に設けられる。このため、靴脱臭機１０の内部における第１通気部１８から電動ファン３０の吸引口３７までの空気の通気流路２７が短くなり、電動ファン３０が効率的に空気を吸引できる。
【００４０】
電動ファン３０の吐出口３８は本体上部１２内の周囲を壁で覆われた空間に設けられる。このため、脱臭装置１５により生成された脱臭成分を含む空気の流れが電動ファン３０に吸引される空気の流れと干渉し難い。
【００４１】
電動ファン３０は、脱臭装置１５に対し上側である通気流路２７の上流側に配置されている。つまり、脱臭装置１５は靴脱臭機１０の内部における電動ファン３０の吐出口３８側に設けられており、このため、脱臭装置１５により生成された脱臭成分が電動ファン３０に付着し難いため脱臭成分が減少するのを防ぐように配慮されている。
【００４２】
本体足部１９は、図４に示すように、底面部ａ３１とこの底面部ａ３１から上方に傾斜する傾斜面ａ３２を有して構成されている。本体足部１９の底面部ａ３１の中央と傾斜面ａ３２には、貫通した開口部である第２通気部２０が設けられている。
【００４３】
そして、傾斜面ａ３２に設けられた第２通気部２０は、図１２に示すように、靴１００の前後方向と同方向の本体上部１２の前後方向に整列した複数のスリット状の開口部ａ３３として形成されている。
【００４４】
また、靴挿入部１１は、底面部ｂ３４とこの底面部ｂ３４から上方に傾斜する傾斜面ｂ３５を有して構成され、靴挿入部１１の底面部ｂ３４の中央と傾斜面ｂ３５には、貫通した開口部である第３通気部２１が設けられている。
【００４５】
傾斜面ｂ３５に設けられた第３通気部２１は、靴１００の前後方向と同方向の本体上部１２の前後方向に整列した複数のスリット状の開口部ｂ３６として形成されている。
【００４６】
また、図９に示すように、第２通気部のスリット状の開口部ａ３３と第３通気部のスリット状の開口部ｂ３６とは、互いが重なるように配置されている。
【００４７】
操作部２５が押下され、通電により脱臭装置１５と電動ファン３０が駆動することにより、本体上部１２に設けた第１通気部１８から外部の空気が本体上部１２内部に吸引され、吸引された空気が脱臭装置１５を通過することで脱臭成分を含む空気の流れが発生し、脱臭成分を含む空気は、第２通気部２０と第３通気部２１を通過することで整流され靴１００内部の前後方向まで行き渡るように構成している。
【００４８】
このため、脱臭成分を含む空気は第２通気部２０を通過する際、底面部ａ３１では真下方向に、傾斜面ａ３２では、傾斜面ａ３２に対し鉛直方向である斜め下方に向けて放出される。
【００４９】
また、靴挿入部１１には、靴挿入部１１の底面部ｂ３４の中央と傾斜面ｂ３５に貫通した開口部である第３通気部２１が設けられ、第２通気部のスリット状の開口部ａ３３と第３通気部のスリット状の開口部ｂ３６とは、互いが重なるように配置されているため、第２通気部２０を通過した脱臭成分を含む空気は、第３通気部２１を通過する際も同様に、底面部ｂ３４では真下方向に、傾斜面ｂ３５では、傾斜面ｂ３５に対し鉛直方向である斜め下方に向けて放出され、靴１００内部の前後方向まで行き渡るように構成している。
【００５０】
このため、靴脱臭機１０を靴にセットして運転した際、靴内部底面の爪先部１０１にまで脱臭成分を含む空気を効率よく送りこむことができる。
【００５１】
（実施の形態２）
図１３は、本発明の実施の形態２における靴脱臭機の斜視図、図１４は、同、靴脱臭機の側面図、図１５は、同、靴脱臭機の図１４におけるＥ−Ｅ断面図である。
【００５２】
収納ケース２２は本体底面部２４の外周を支持することで靴脱臭機１０を収納することができ、その際、収納ケース２２の底面にケース足部２８が設けられており、ケース足部２８の前後長と左右長は靴挿入部１１が地面と接地する際の前後長、左右長よりも長く設定しており、靴脱臭機１０を安定して収納することができる。
【００５３】
また、収納ケース２２には、靴脱臭機１０を収納ケース２２に収納した状態において、所定の間隔を空けて左右に分かれて設けられている靴挿入部１１間の空間である中央部の空間３９に、外部電源２９を収納できる空間を備えており、収納時の省スペース化を図ることができる。
【００５４】
また、収納ケース２２の側面には、第４通気部２３が設けられており、収納ケース２２の内側内部の空間と外部とを第４通気部２３を介して連通させており、空気が循環することで、収納ケース２２内部に臭気を閉じ込めることなく。清潔に保つことができる。
【産業上の利用可能性】
【００５５】
本発明に従う靴脱臭機は、脱臭成分を効果的に発生できるため、帯電微粒子水、空気イ
オン、および、オゾン以外の脱臭成分を用いて靴を脱臭することができる。
【符号の説明】
【００５６】
１０  靴脱臭機
１１  靴挿入部
１２  本体上部
１３ａ  端子接続部
１３ｂ  端子部
１４  電源ケーブル
１５  脱臭装置
１６  表示部
１８  第１通気部
１９  本体足部
２０  第２通気部
２１  第３通気部
２２  収納ケース
２３  第４通気部
２４  本体底面部
２５  操作部
２７  通気流路
２８  ケース足部
２９  外部電源
３０  電動ファン
３１  底面部ａ
３２  傾斜面ａ
３３  開口部ａ
３４  底面部ｂ
３５  傾斜面ｂ
３６  開口部ｂ
３７  吸引口
３８  吐出口
３９  中央部の空間
１００  靴
１０１  爪先部
２０１  二股部
２０２  ホース部
２０３  吹き出し部
２０４  入り口ホース部
【図１】
2020014560.tif 000003
【図２】
2020014560.tif 000004
【図３】
2020014560.tif 000005
【図４】
2020014560.tif 000006
【図５】
2020014560.tif 000007
【図６】
2020014560.tif 000008
【図７】
2020014560.tif 000009
【図８】
2020014560.tif 000010
【図９】
2020014560.tif 000011
【図１０】
2020014560.tif 000012
【図１１】
2020014560.tif 000013
【図１２】
2020014560.tif 000014
【図１３】
2020014560.tif 000015
【図１４】
2020014560.tif 000016
【図１５】
2020014560.tif 000017
【図１６】
2020014560.tif 000018